【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
データ処理方法であって：
現在のデータ処理プロセスにおけるユーザの特徴識別子を、クライアント端末によりサーバ端末へ送信するステップ（１００）と；
前記ユーザの前記特徴識別子に応じて前記サーバ端末から返信される少なくとも１つのデータ処理モードについての前記ユーザに関する処理能力情報を、前記クライアント端末により受信するステップ（１０１）と；
少なくとも１つのデータ処理モードについての前記ユーザに関する前記処理能力情報に応じて、前記ユーザに対して表示すべき候補データ処理モードと表示モードとを、前記クライアント端末により決定するステップ（１０２）と；
前記ユーザが前記候補データ処理モードの中から前記現在のデータ処理プロセスのための対象データ処理モードを選択できるように、前記表示モードに応じて前記候補データ処理モードを、前記クライアント端末により前記ユーザに対して表示するステップ（１０３）と；を備える、
データ処理方法。
【請求項２】
現在のデータ処理プロセスにおけるユーザの特徴識別子を、クライアント端末によりサーバ端末へ送信する前記ステップは：
前記現在のデータ処理プロセスにおける前記ユーザの前記特徴識別子を、前記クライアント端末により収集するステップと；
前記ユーザの前記特徴識別子を、前記クライアント端末により、前記少なくとも１つのデータ処理モードの中の各データ処理モードのサーバ端末へそれぞれ送信するステップと；を備え、
前記ユーザの前記特徴識別子に応じて前記サーバ端末から返信される少なくとも１つのデータ処理モードについての前記ユーザに関する処理能力情報を、前記クライアント端末により受信する前記ステップは：
前記ユーザの前記特徴識別子に応じて前記各データ処理モードの前記サーバ端末から返信される前記各データ処理モードについての前記ユーザに関する処理能力情報を、前記クライアント端末により受信するステップ；を備える、
請求項１に記載の方法。
【請求項３】
前記各データ処理モードの前記サーバ端末によって送信されるサーバ端末での前記ユーザの本人識別子を、前記クライアント端末により受信するステップと；
前記ユーザが前記候補データ処理モードの中から前記現在のデータ処理プロセスのための前記対象データ処理モードを選択した後に、前記各データ処理モードの前記サーバ端末が前記各データ処理モードについての前記ユーザに関する前記処理能力情報を更新できるように、前記各データ処理モードの前記サーバ端末から送信される前記サーバ端末での前記ユーザの前記本人識別子と、前記対象データ処理モードの識別子と、前記現在のデータ処理プロセスにおいて前記対象データ処理モードを用いたことに関する結果情報とを、前記クライアント端末により、前記各データ処理モードの前記サーバ端末へ送信するステップと；を更に備える、
請求項２に記載の方法。
【請求項４】
前記表示モードに応じて前記候補データ処理モードを、前記クライアント端末により前記ユーザに対して表示する前記ステップの後に、
前記サーバ端末が前記少なくとも１つのデータ処理モードについての前記ユーザに関する前記処理能力情報を更新できるように、前記ユーザによって選択された前記対象データ処理モードの識別子と、前記現在のデータ処理プロセスにおいて前記対象データ処理モードを用いたことに関する結果情報とを、前記クライアント端末により、前記サーバ端末へ送信するステップを更に備える、
請求項１に記載の方法。
【請求項５】
データ処理モードのためのデータ処理方法であって：
クライアント端末から送信される現在のデータ処理プロセスにおけるユーザの特徴識別子を、サーバ端末により受信するステップ（２０１）と；
前記ユーザの前記特徴識別子に応じて少なくとも１つのデータ処理モードについての前記ユーザに関する処理能力情報を、前記サーバ端末により取得するステップ（２０２）と；
前記クライアント端末が前記ユーザに対して表示すべき候補データ処理モードと表示モードとを決定できるように、前記少なくとも１つのデータ処理モードについての前記ユーザに関する前記処理能力情報を、前記サーバ端末により前記クライアント端末へ送信するステップ（２０３）と：を備える、
データ処理モードのためのデータ処理方法。
【請求項６】
前記ユーザの前記特徴識別子に応じて少なくとも１つのデータ処理モードについての前記ユーザに関する処理能力情報を、前記サーバ端末により取得する前記ステップは：
前記ユーザの前記特徴識別子に応じて前記サーバ端末での前記ユーザの本人識別子を、前記サーバ端末により取得するステップと；
能力情報データベースにおいて前記サーバ端末での前記ユーザの前記本人識別子に応じてマッチングを行い、それにより前記少なくとも１つのデータ処理モードについての前記ユーザに関する前記処理能力情報を、前記サーバ端末により取得するステップと；を備える、
請求項５に記載の方法。
【請求項７】
前記ユーザの前記特徴識別子に応じて前記サーバ端末での前記ユーザの本人識別子を、前記サーバ端末により取得するステップは：
前記ユーザの前記特徴識別子の優先順位に応じて最も優先順位が高くゼロでない値を有する特徴識別子を選択し、最も優先順位が高くゼロでない値を有する前記特徴識別子に対応する関係データ表において検索して、それにより最も優先順位が高くゼロでない値を有する特徴識別子に対応する識別子を前記サーバ端末での前記ユーザの前記本人識別子として取得するステップを備える、
請求項６に記載の方法。
【請求項８】
前記ユーザの前記特徴識別子に応じて少なくとも１つのデータ処理モードについての前記ユーザに関する処理能力情報を、前記サーバ端末により取得する前記ステップは：
前記ユーザの前記特徴識別子に応じて局所的に維持された少なくとも１つのデータ処理モードであって、前記サーバ端末によって提供されるデータ処理モード及び／又は前記サーバ端末によって提供されないデータ処理モードを含む少なくとも１つのデータ処理モードについての前記ユーザに関する処理能力情報を、前記サーバ端末により取得するステップを備える、
請求項５乃至７のいずれか一項に記載の方法。
【請求項９】
前記サーバ端末での前記ユーザの前記本人識別子を、前記サーバ端末により前記クライアント端末へ送信するステップと；
前記クライアント端末から送信される前記サーバ端末での前記ユーザの前記本人識別子と、前記候補データ処理モードの中から前記現在のデータ処理プロセスのために前記クライアント端末によって選択された対象データ処理モードの識別子と、前記現在のデータ処理プロセスにおいて前記対象データ処理モードを用いたことに関する結果情報とを、前記サーバ端末により受信するステップと；
前記サーバ端末での前記ユーザの前記本人識別子と、前記対象データ処理モードの前記識別子と、前記現在のデータ処理プロセスにおいて前記対象データ処理モードを用いたことに関する前記結果情報とに応じて、前記少なくとも１つのデータ処理モードについての前記ユーザに関する前記処理能力情報を、前記サーバ端末によって更新するステップと；を更に備える、
請求項５又は６に記載の方法。
【請求項１０】
前記少なくとも１つのデータ処理モードは、前記クライアント端末を介したデータ処理又は他のクライアント端末を介したデータ処理のために前記ユーザによって使用されたデータ処理モードを備える、
請求項１乃至９のいずれか一項に記載の方法。
【請求項１１】
前記ユーザに関する処理能力情報は、前記データ処理モードに対する前記ユーザの使用スコアを備え、
より高い使用スコアは、前記ユーザが現在のデータ処理プロセスにおいて前記データ処理を使用することを選択するより高い確率を表す、
請求項１乃至１０のいずれか一項に記載の方法。
【請求項１２】
前記ユーザは、複数の特徴識別子を有し、
前記サーバ端末は、前記サーバ端末における前記ユーザの本人識別子と前記ユーザの各特徴識別子との間の相互関係を独立に格納する、
請求項１乃至１１のいずれか一項に記載の方法。
【請求項１３】
前記サーバ端末は、全てのインターネットウェブサイト上の前記ユーザの行動データを収集する、
請求項１２に記載の方法。
【請求項１４】
クライアント端末において実施されるデータ処理装置であって、
請求項１から４及び請求項１０から１１のいずれか一項に記載の方法に記載の方法を実行するように構成された複数のモジュール（３０、３１、３２、３３）を備える、
データ処理装置。
【請求項１５】
サーバ端末において実施されるデータ処理装置であって、
請求項５から１３のいずれか一項に記載の方法を実行するように構成された複数のモジュール（４１、４２、４３）を備える、
データ処理装置。
【手続補正２】
【補正対象書類名】明細書
【補正対象項目名】０１０６
【補正方法】変更
【補正の内容】
【０１０６】
最後に、上記の実施の形態は、本願を限定するものではなく、本願の技術的解決の説明を意図したものに過ぎず、上記の実施の形態を参照して本発明の詳細な説明がなされているが、前述の様々な実施の形態に記載された技術的解決に対する変形、又は、その技術的特徴の一部の均等物との置き換えが依然として可能であることを当業者は理解すべきであり、ただし、そうした変形又は置き換えは、対応する技術的解決策の本質を本願の様々な実施の形態の技術的解決の精神及び範囲から逸脱させるものではないことは注目に値する。
［第１の局面］
データ処理方法であって：
現在のデータ処理プロセスにおけるユーザの特徴識別子を、クライアント端末によりサーバ端末へ送信するステップと；
前記ユーザの前記特徴識別子に応じて前記サーバ端末から返信される少なくとも１つのデータ処理モードについての前記ユーザに関する処理能力情報を、前記クライアント端末により受信するステップと；
少なくとも１つのデータ処理モードについての前記ユーザに関する前記処理能力情報に応じて、前記ユーザに対して表示すべき候補データ処理モードと表示モードとを、前記クライアント端末により決定するステップと；
前記ユーザが前記候補データ処理モードの中から前記現在のデータ処理プロセスのための対象データ処理モードを選択できるように、前記表示モードに応じて前記候補データ処理モードを、前記クライアント端末により前記ユーザに対して表示するステップと；を備えることを特徴とする、
データ処理方法。
［第２の局面］
現在のデータ処理プロセスにおけるユーザの特徴識別子を、クライアント端末によりサーバ端末へ送信する前記ステップは：
前記現在のデータ処理プロセスにおける前記ユーザの前記特徴識別子を、前記クライアント端末により収集するステップと；
前記ユーザの前記特徴識別子を、前記クライアント端末により、前記少なくとも１つのデータ処理モードの中の各データ処理モードのサーバ端末へそれぞれ送信するステップと；を含み、
前記ユーザの前記特徴識別子に応じて前記サーバ端末から返信される少なくとも１つのデータ処理モードについての前記ユーザに関する処理能力情報を、前記クライアント端末により受信する前記ステップは：
前記ユーザの前記特徴識別子に応じて前記各データ処理モードの前記サーバ端末から返信される前記各データ処理モードについての前記ユーザに関する処理能力情報を、前記クライアント端末により受信するステップ；を含むことを特徴とする、
第１の局面に記載の方法。
［第３の局面］
前記各データ処理モードの前記サーバ端末によって送信されるサーバ端末での前記ユーザの本人識別子を、前記クライアント端末により受信するステップと；
前記ユーザが前記候補データ処理モードの中から前記現在のデータ処理プロセスのための前記対象データ処理モードを選択した後に、前記各データ処理モードの前記サーバ端末が前記各データ処理モードについての前記ユーザに関する前記処理能力情報を更新できるように、前記各データ処理モードの前記サーバ端末から送信される前記サーバ端末での前記ユーザの前記本人識別子と、前記対象データ処理モードの識別子と、前記現在のデータ処理プロセスにおいて前記対象データ処理モードを用いたことに関する結果情報とを、前記クライアント端末により、前記各データ処理モードの前記サーバ端末へ送信するステップと；を更に備えることを特徴とする、
第２の局面に記載の方法。
［第４の局面］
前記表示モードに応じて前記候補データ処理モードを、前記クライアント端末により前記ユーザに対して前記表示する前記ステップの後に、
前記サーバ端末が前記少なくとも１つのデータ処理モードについての前記ユーザに関する前記処理能力情報を更新できるように、前記ユーザによって選択された前記対象データ処理モードの識別子と、前記現在のデータ処理プロセスにおいて前記対象データ処理モードを用いたことに関する結果情報とを、前記クライアント端末により、前記サーバ端末へ送信するステップを更に備えることを特徴とする、
第１の局面に記載の方法。
［第５の局面］
データ処理モードのためのデータ処理方法であって：
クライアント端末から送信される現在のデータ処理プロセスにおけるユーザの特徴識別子を、サーバ端末により受信するステップと；
前記ユーザの前記特徴識別子に応じて少なくとも１つのデータ処理モードについての前記ユーザに関する処理能力情報を、前記サーバ端末により取得するステップと；
前記クライアント端末が前記ユーザに対して表示すべき候補データ処理モードと表示モードとを決定できるように、前記少なくとも１つのデータ処理モードについての前記ユーザに関する前記処理能力情報を、前記サーバ端末により前記クライアント端末へ送信するステップと：を備えることを特徴とする、
データ処理モードのためのデータ処理方法。
［第６の局面］
前記ユーザの前記特徴識別子に応じて少なくとも１つのデータ処理モードについての前記ユーザに関する処理能力情報を、前記サーバ端末により取得する前記ステップは：
前記ユーザの前記特徴識別子に応じて前記サーバ端末での前記ユーザの本人識別子を、前記サーバ端末により取得するステップと；
能力情報データベースにおいて前記サーバ端末での前記ユーザの前記本人識別子に応じてマッチングを行い、それにより前記少なくとも１つのデータ処理モードについての前記ユーザに関する前記処理能力情報を、前記サーバ端末により取得するステップと；を含むことを特徴とする、
第５の局面に記載の方法。
［第７の局面］
前記ユーザの前記特徴識別子に応じて前記サーバ端末での前記ユーザの本人識別子を、前記サーバ端末により取得するステップは：
前記ユーザの前記特徴識別子の優先順位に応じて最も優先順位が高くゼロでない値を有する特徴識別子を選択し、最も優先順位が高くゼロでない値を有する前記特徴識別子に対応する関係データ表において検索して、それにより最も優先順位が高くゼロでない値を有する特徴識別子に対応する識別子を前記サーバ端末での前記ユーザの前記本人識別子として取得するステップを含むことを特徴とする、
第６の局面に記載の方法。
［第８の局面］
前記ユーザの前記特徴識別子に応じて少なくとも１つのデータ処理モードについての前記ユーザに関する処理能力情報を、前記サーバ端末により取得する前記ステップは：
前記ユーザの前記特徴識別子に応じて局所的に維持された少なくとも１つのデータ処理モードであって、前記サーバ端末によって提供されるデータ処理モード及び／又は前記サーバ端末によって提供されないデータ処理モードを含む少なくとも１つのデータ処理モードについての前記ユーザに関する処理能力情報を、前記サーバ端末により取得するステップを含むことを特徴とする、
第５の局面乃至第７の局面のいずれか一項に記載の方法。
［第９の局面］
前記サーバ端末での前記ユーザの前記本人識別子を、前記サーバ端末により前記クライアント端末へ送信するステップと；
前記クライアント端末から送信される前記サーバ端末での前記ユーザの前記本人識別子と、前記候補データ処理モードの中から前記現在のデータ処理プロセスのために前記クライアント端末によって選択された対象データ処理モードの識別子と、前記現在のデータ処理プロセスにおいて前記対象データ処理モードを用いたことに関する結果情報とを、前記サーバ端末により受信するステップと；
前記サーバ端末での前記ユーザの前記本人識別子と、前記対象データ処理モードの前記識別子と、前記現在のデータ処理プロセスにおいて前記対象データ処理モードを用いたことに関する前記結果情報とに応じて、前記少なくとも１つのデータ処理モードについての前記ユーザに関する前記処理能力情報を、前記サーバ端末によって更新するステップと；を更に含むことを特徴とする、
第５の局面又は第６の局面に記載の方法。
［第１０の局面］
クライアント端末において実装されるデータ処理装置であって：
現在のデータ処理プロセスにおけるユーザの特徴識別子をサーバ端末へ送信するように構成される送信モジュールと；
前記ユーザの前記特徴識別子に応じて前記サーバ端末から返信される少なくとも１つのデータ処理モードについての前記ユーザに関する処理能力情報を受信するように構成される受信モジュールと；
少なくとも１つのデータ処理モードについての前記ユーザに関する前記処理能力情報に応じて、前記ユーザに対して表示すべき候補データ処理モードと表示モードとを決定するように構成される判定モジュールと；
前記ユーザが前記候補データ処理モードの中から前記現在のデータ処理プロセスのための対象データ処理モードを選択できるように、前記表示モードに応じて前記候補データ処理モードを前記ユーザに対して表示するように構成される表示モジュールと；を備えることを特徴とする、
データ処理装置。
［第１１の局面］
前記送信モジュールは、前記現在のデータ処理プロセスにおける前記ユーザの前記特徴識別子を収集し、そして前記ユーザの前記特徴識別子を前記少なくとも１つのデータ処理モードの中の各データ処理モードのサーバ端末へそれぞれ送信するように具体的に構成され、
前記受信モジュールは、前記ユーザの前記特徴識別子に応じて前記各データ処理モードの前記サーバ端末から返信される前記各データ処理モードについての前記ユーザに関する処理能力情報を受信するように具体的に構成されることを特徴とする、
第１０の局面に記載の装置。
［第１２の局面］
前記受信モジュールは、前記各データ処理モードの前記サーバ端末から送信されるサーバ端末での前記ユーザの本人識別子を受信するように更に構成され、
前記送信モジュールは、前記ユーザが前記候補データ処理モードの中から前記現在のデータ処理プロセスのための前記対象データ処理モードを選択した後に、前記各データ処理モードの前記サーバ端末が前記各データ処理モードについての前記ユーザに関する前記処理能力情報を更新できるように、前記各データ処理モードの前記サーバ端末から送信される前記サーバ端末での前記ユーザの前記本人識別子と、前記対象データ処理モードの識別子と、前記現在のデータ処理プロセスにおいて前記対象データ処理モードを用いたことに関する結果情報とを前記各データ処理モードの前記サーバ端末へ送信するように更に構成されることを特徴とする、
第１１の局面に記載の装置。
［第１３の局面］
前記送信モジュールは、前記サーバ端末が前記少なくとも１つのデータ処理モードについての前記ユーザに関する前記処理能力情報を更新できるように、前記ユーザによって選択された前記対象データ処理モードの識別子と、前記現在のデータ処理プロセスにおいて前記対象データ処理モードを用いたことに関する結果情報とを前記サーバ端末へ送信するように更に構成されることを特徴とする、
第１１の局面に記載の装置。
［第１４の局面］
サーバ端末において実施されるデータ処理装置であって：
クライアント端末から送信される現在のデータ処理プロセスにおけるユーザの特徴識別子を受信するように構成される受信モジュールと；
前記ユーザの前記特徴識別子に応じて少なくとも１つのデータ処理モードについての前記ユーザに関する処理能力情報を取得するように構成される取得モジュールと；
前記クライアント端末が前記ユーザに対して表示すべき候補データ処理モードと表示モードとを決定できるように、前記少なくとも１つのデータ処理モードについての前記ユーザに関する前記処理能力情報を前記クライアント端末へ送信するように構成される送信モジュールと；を備えることを特徴とする、
データ処理装置。
［第１５の局面］
前記取得モジュールは、
前記ユーザの前記特徴識別子に応じて前記サーバ端末での前記ユーザの本人識別子を取得し、
能力情報データベースにおいて前記サーバ端末での前記ユーザの前記本人識別子に応じてマッチングを行い、それにより前記少なくとも１つのデータ処理モードについての前記ユーザに関する前記処理能力情報を取得するように具体的に構成されることを特徴とする、
第１４の局面に記載の装置。
［第１６の局面］
前記取得モジュールは、
前記ユーザの前記特徴識別子の優先順位に応じて最も優先順位が高くゼロでない値を有する特徴識別子を選択し、最も優先順位が高くゼロでない値を有する前記特徴識別子に対応する関係データ表において検索して、それにより最も優先順位が高くゼロでない値を有する特徴識別子に対応する識別子を前記サーバ端末での前記ユーザの前記本人識別子として得るように具体的に構成されることを特徴とする、
第１５の局面に記載の装置。
［第１７の局面］
前記取得モジュールは、
前記ユーザの前記特徴識別子に応じて局所的に維持された少なくとも１つのデータ処理モードであって、前記サーバ端末から提供されるデータ処理モード及び／又は前記サーバ端末によって提供されないデータ処理モードを含む少なくとも１つのデータ処理モードについての前記ユーザに関する処理能力情報を取得するように具体的に構成されることを特徴とする、
第１４の局面乃至第１６の局面のいずれか一項に記載の装置。
［第１８の局面］
更新モジュールを更に備え、
前記送信モジュールは、前記サーバ端末での前記ユーザの前記本人識別子を前記クライアント端末に送信するように更に構成され、
前記受信モジュールは、前記クライアント端末から送信される前記サーバ端末での前記ユーザの前記本人識別子と、前記候補データ処理モードの中から前記現在のデータ処理プロセスのために前記クライアント端末によって選択された前記対象データ処理モードの識別子と、前記現在のデータ処理プロセスにおいて前記対象データ処理モードを用いたことに関する結果情報とを受信するように構成され、
前記更新モジュールは、前記サーバ端末での前記ユーザの前記本人識別子と、前記対象データ処理モードの前記識別子と、前記現在のデータ処理プロセスにおいて前記対象データ処理モードを用いたことに関する前記結果情報に応じて、前記少なくとも１つのデータ処理モードについての前記ユーザに関する前記処理能力情報とを更新するように構成されることを特徴とする、
第１４の局面又は第１５の局面に記載の装置。